【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
多重チャンバー型インクジェット印刷ヘッド・カートリッジであって、複数のインク・チャンバーを備え、各インク・チャンバーが出口ポートを具備しており、前記各インク・チャンバーが長さ寸法部と幅寸法部を有し、前記各インク・チャンバーの前記長さ寸法部が前記幅寸法部よりも長く、前記複数のインク・チャンバーが、少なくとも１つの直交チャンバーと少なくとも２つの他のチャンバーを含み、
前記少なくとも１つの直交チャンバーが、その長さ寸法部を前記少なくとも２つの他のチャンバーの長さ寸法部に実質的に直交するように配置され、かつ、前記少なくとも１つの直交チャンバーが、前記少なくとも２つの他のチャンバーに実質的に隣接し、
前記複数のチャンバーの各々が実質的に同一の体積であり、
前記複数のチャンバーが、少なくとも２つの平行チャンバーであって、それらの長さ寸法部が実質的に平行となるように平行状態で並列配置された少なくとも２つの平行チャンバーを含み、
前記複数のチャンバーが３つのインク・チャンバーを含み、当該３つのインク・チャンバーが、第１の平行チャンバーと、第２の平行チャンバーと、直交チャンバーとを含み、前記第１の平行チャンバーの長さ寸法部が前記第２の平行チャンバーの長さ寸法部と平行であり、前記直交チャンバーの長さ寸法部が前記第１及び第２の平行チャンバーの長さ寸法部と直交し、
前記第１の平行チャンバーと前記第２の平行チャンバーの各々が、前記直交チャンバーの相対的により長い中央側壁に実質的に隣接する相対的により短い中央側壁を含み、前記第１の平行チャンバーと前記第２の平行チャンバーの各々が、相対的により長い中央側壁を更に含み、前記第１の平行チャンバーの前記相対的により長い中央側壁が前記第２の平行チャンバーの前記相対的により長い中央側壁に実質的に隣接し、前記第１及び第２の平行チャンバーの各々の出口ポートが、前記第１及び第２の平行チャンバーにおける前記相対的により短い中央側壁及び前記相対的により長い中央側壁に密接隣接した状態で配置されており、前記直交チャンバーの前記出口ポートが、当該直交チャンバーの前記相対的により長い中央側壁に密接隣接した状態で配置されており、
前記直交チャンバーの前記出口ポートが、当該直交チャンバーの前記相対的により長い中央側壁の中点に密接して配置されている、多重チャンバー型インクジェット印刷ヘッド・カートリッジ。
【請求項２】
多重チャンバー型インクジェット印刷ヘッド・カートリッジであって、複数のインク・チャンバーを備え、各インク・チャンバーが出口ポートを具備しており、前記各インク・チャンバーが長さ寸法部と幅寸法部を有し、前記各インク・チャンバーの前記長さ寸法部が前記幅寸法部よりも長く、前記複数のインク・チャンバーが、少なくとも１つの直交チャンバーと少なくとも２つの他のチャンバーを含み、
前記少なくとも１つの直交チャンバーが、その長さ寸法部を前記少なくとも２つの他のチャンバーの長さ寸法部に実質的に直交するように配置され、かつ、前記少なくとも１つの直交チャンバーが、前記少なくとも２つの他のチャンバーに実質的に隣接し、前記複数のインク・チャンバーの各々に対応するインク分配オリフィスと、前記複数のインク・チャンバーの各々に対応する流路チャネルとを更に備え、
前記複数のインク・チャンバーの各々に対して、前記対応する流路チャネルによって、前記出口ポートが前記対応するインク分配オリフィスに接続されており、
前記オリフィスが、前記少なくとも１つの直交チャンバーの前記出口ポートに密接隣接した状態で当該カートリッジの基部に配置されており、
前記オリフィスが、前記少なくとも１つの直交チャンバーの長さ寸法部を両断する線に接触している、多重チャンバー型インクジェット印刷ヘッド・カートリッジ。
【請求項３】
前記出口ポートが二等辺三角形を構成するように配列されている、請求項２に記載のインクジェット印刷ヘッド・カートリッジ。
【請求項４】
多重チャンバー型インクジェット印刷ヘッド・カートリッジであって、複数のインク・チャンバーを備え、各インク・チャンバーが出口ポートを具備しており、前記各インク・チャンバーが長さ寸法部と幅寸法部を有し、前記各インク・チャンバーの前記長さ寸法部が前記幅寸法部よりも長く、
少なくとも１つの直交チャンバーが、その長さ寸法部を前記少なくとも２つの他のチャンバーの長さ寸法部に実質的に直交するように配置され、かつ、前記少なくとも１つの直交チャンバーが、前記少なくとも２つの他のチャンバーに実質的に隣接して配置され、
各チャンバーの前記出口ポートがそれらポート間の距離を最小化すべく配置されており、
前記複数のチャンバーが３つのインク・チャンバーを含み、当該３つのインク・チャンバーが、第１の平行チャンバーと、第２の平行チャンバーと、直交チャンバーとを含み、前記第１の平行チャンバーの長さ寸法部が前記第２の平行チャンバーの長さ寸法部と平行であり、前記直交チャンバーの長さ寸法部が前記第１及び第２の平行チャンバーの長さ寸法部と直交し、
前記第１の平行チャンバーと前記第２の平行チャンバーの各々が、前記直交チャンバーの相対的により長い中央側壁に実質的に隣接する相対的により短い中央側壁を含み、前記第１の平行チャンバーと前記第２の平行チャンバーの各々が、相対的により長い中央側壁を更に含み、前記第１の平行チャンバーの前記相対的により長い中央側壁が前記第２の平行チャンバーの前記相対的により長い中央側壁に実質的に隣接し、前記第１及び第２の平行チャンバーの各々の出口ポートが、前記第１及び第２の平行チャンバーにおける前記相対的により短い中央側壁及び前記相対的により長い中央側壁に密接隣接した状態で配置されており、前記直交チャンバーの前記出口ポートが、当該直交チャンバーの前記相対的により長い中央側壁の中点に密接隣接した状態で配置されている、多重チャンバー型インクジェット印刷ヘッド・カートリッジ。
【請求項５】
前記複数のインク・チャンバーの前記出口ポートが二等辺三角形を形成すべく配置されている、請求項４に記載のインクジェット印刷ヘッド・カートリッジ。
【手続補正２】
【補正対象書類名】明細書
【補正対象項目名】００１５
【補正方法】変更
【補正の内容】
【００１５】
図１に示されるように、典型的なインク・チャンバー１２Ａ乃至１２Ｃは、長さ（Ｌ）及び幅（Ｗ）を有する。好ましくは、本発明のインク・チャンバー１２Ａ乃至１２ＣにおいてＬ寸法部はＷ寸法部よりも大きく、各々のチャンバーは略矩形状である。しかしながら、インク・チャンバーは形状としては略方形、即ちＬ及びＷが相互に略等しものであってよい。本発明で使用される各チャンバー１２乃至１２Ｃは、Ｌ寸法及びＷ寸法が他のチャンバーのものと相互に異なっていてもよい。好ましくは、チャンバー１２Ａ乃至１２Ｃの少なくとも２つは、実質的に同一のＬ寸法と実質的に同一のＷ寸法とを有する。より好ましくは、インクジェット印刷ヘッド１０における全てのチャンバーは実質的に等しいＬ寸法と実質的に等しいＷ寸法とを有する。好ましくは、チャンバー１２Ａ乃至１２Ｃは組み合わされて、単体の外壁１３を有する単体の多重チャンバー型インク・リザーバを形成している。
【手続補正３】
【補正対象書類名】明細書
【補正対象項目名】００１６
【補正方法】変更
【補正の内容】
【００１６】
また、各チャンバーは、Ｌ寸法部及びＷ寸法部と、該チャンバーの深さを表すＤ寸法部とによって画成される体積を有する。印刷ヘッド１０における各チャンバーは、たとえそれらが同一のＬ、Ｗ並びにＤ寸法部を有することがなくとも、実質的に同一の体積を有することが好ましい。
【手続補正４】
【補正対象書類名】明細書
【補正対象項目名】００１７
【補正方法】変更
【補正の内容】
【００１７】
図１及び図３に最も明確に示されているように、少なくとも１つのインク・チャンバー１２Ａは、好ましくは、少なくとも２つの他のチャンバー１２Ｂ，１２Ｃと実質的に直交すると共に実質的に隣接して配列されて、１つのチャンバーのＬ寸法部が少なくとも１つの他のチャンバーのＬ寸法部と直交するような実質的に直交状態で画成されている。好ましくは、チャンバー１２Ｂ，１２Ｃの内の少なくとも２つは並列配列されて、それらのＬ寸法部が相互に平行し、他のチャンバー１２Ａがそれら他のチャンバーと直交して配列されている。全てのチャンバーは、好ましくは、相互に隣接して、各チャンバーの少なくとも１つの側壁が他のチャンバーの側壁と接触或いは隣接している。ご理解して頂けるように、この構成は、その中に貯蔵できるインク量を低減することなく、カートリッジ１０の扱いにくさをより少なくすると共に、先行技術に係るカートリッジよりもより小さな寸法に為すという長所がある。
【手続補正５】
【補正対象書類名】明細書
【補正対象項目名】００２１
【補正方法】変更
【補正の内容】
【００２１】
３つのインク・チャンバーが使用されているこの好適実施例において、２つの平行するチャンバーの各々が相対的により長い中央側壁１８と、相対的により短い中央側壁１６とを含むことが好ましい。付加的に、これら２つの平行チャンバー１２Ｂ，１２Ｃは１つの相対的に長い中央側壁１８を共有することができる。直交するチャンバー１２Ａは、好ましくは、相対的に長い中央側壁２４をも含む。理解して頂けるように、平行チャンバー１２Ｂ，１２Ｃにおける２つの相対的により短い中央側壁１６は、直交チャンバーの１つの相対的に長い中央側壁２４を含み得る。２つの平行チャンバー１２Ｂ，１２Ｃの出口ポート１４は、対応する相対的により長い側壁１８と、各平行チャンバーの相対的により短い中央側壁１６とに密接して隣接配置されている。直交チャンバーの出口ポート１４は、好ましくは、該直交チャンバーのＬ寸法部の中央における該直交チャンバーの相対的に長い側壁２４に密接して隣接配置されている。
【手続補正６】
【補正対象書類名】明細書
【補正対象項目名】００２２
【補正方法】変更
【補正の内容】
【００２２】
より好ましくは、図３に示されるように、２つの出口ポート１４は、実質上、三角形構成に配列され、各ポートの中心点を接続する線が三角形を形成している。直交チャンバー内の出口ポートは該直交チャンバーのＷ寸法部に関して中央部に位置決めされても、されなくともよい。その出口チャンバーは、平行チャンバーと隣接する直交チャンバーの壁と密接した状態で位置決めされてもよい。好ましくは、各出口ポートの中心点を通るように引かれた線によって形成された三角形は二等辺三角形である。